(57)【要約】【課題】  規格が異なる二台の記録再生機器を備えた複合機としての仕様と、何れか一方の記録再生機器を搭載する専用機とする仕様とで、それぞれの記録再生機器をユニット化するホルダが共通化できるようにする。【解決手段】  複合機としてキャビネット２の内部に収納する場合、フラットに連続するホルダ１５上にハードディスクドライブユニット５と光ディスクドライブユニット１０とを固定し、これをキャビネット２内に組み込む。専用機としてハードディスクドライブユニット５又は光ディスクドライブユニット１０の何れか一方をキャビネット２に組み込む仕様の場合、スリット溝２０の部分でホルダ１５を分割し、分割した一方の分割ホルダ１５ａに固定したハードディスクドライブユニット５又は分割ホルダ１５ｂに固定した光ディスクドライブユニット１０をキャビネット２に組み込む。【選択図】      図３
2006209886.tif 000002
【特許請求の範囲】
【請求項１】
少なくとも規格が異なる記憶再生媒体を用いて記憶及び／又は再生を行う二台の記録再生機器を並設してユニット化するホルダを設けるとともに、このホルダには、前記記録再生機器の境界部分に位置して前記ホルダが分割可能な切り離し部が設けられていることを特徴とする記録再生機器。
【請求項２】
前記切り離し部がＶ字状のスリット溝によって構成されていることを特徴とする請求項１記載の記録再生機器。
【請求項３】
前記切り離し部が一定間隔毎に開口するミシン目によって構成されていることを特徴とする請求項１記載の記録再生機器。
【請求項４】
前記規格が異なる二台の記録再生機器を筐体内に組み込む場合、その各記録再生機器を前記ホルダに並設するとともに、何れか一方の記録再生機器を前記筐体内に組み込む場合、前記切り離し部から前記ホルダを分割し、その分割ホルダに固定した一方の記録再生機器を前記筐体内に組み込むように構成したことを特徴とする請求項１〜３の何れか１項に記載の記録再生機器。
【請求項５】
前記一方の記録再生機器が記憶再生媒体として磁気記憶媒体を用いるハードディスクドライブユニットで、他方の記録再生機器が記憶再生媒体として光ディスクを用いる光ディスクドライブユニットで構成されていることを特徴とする請求項４記載の記録再生機器。
【請求項６】
ホルダの前面側に筐体の前面パネルに形成する係合受け部と係合して前記筐体に前記ホルダを位置決めする係合部を設けるとともに、この係合部が前記ホルダに形成する切り離し部に対して対称となるように形成したことを特徴とする請求項１〜５の何れか１項に記載の記録再生機器。
【請求項７】
前記規格が異なる二台の記録再生機器、或いは何れか一方の記録再生機器をホルダによってユニット化し、表示部を備えた筐体に組み込んだことを特徴とする請求項１〜６の何れか１項に記載の記録再生機器。
【発明の詳細な説明】
【技術分野】
【０００１】
本発明は、少なくとも規格が異なる記憶再生媒体を用いて記憶及び／又は再生を行う二台の記録再生機器を並設して筐体内に組み込む仕様と、何れか一方の記録再生機器を筐体内に組み込む仕様とに対応可能な記録再生機器に関する。
【背景技術】
【０００２】
記憶再生媒体を用いて記憶及び／又は再生を行なう記録再生機器においては、技術の進歩により大容量の記憶再生媒体が開発され、それに伴って従前に広く採用される記憶再生媒体に代わって新たな規格の記憶再生媒体を用いて記憶及び／又は再生を行なう場合、それまでの記憶再生媒体が使用できなくなくなる。例えば、磁気テープから光ディスクへと代わり、近年ではより大容量のハードディスクドライブを搭載した記録再生機器が実用化されている。こうした、記憶再生媒体の過渡期において、例えば、従前から広く普及している記憶再生媒体の記憶／再生も行なえ、かつ、新たな規格の記憶再生媒体の記憶／再生も行なえ得る複合電子機器が要求され、例えば、特許文献１では、光ディスクに対する記憶及び／又は再生を行うための光ディスク記録再生機器とビデオカセットテープなどの磁気記録媒体による記憶及び／又は再生を行うための磁気記録再生機器とを１つの筐体内に収納した複合電子機器が提案さている。
【０００３】
【特許文献１】特開２００２−２３７１７６号公報
【発明の開示】
【発明が解決しようとする課題】
【０００４】
特許文献１で開示される複合電子機器においては、ビデオカセットテープの利用が可能であるとともに新規格である光ディスクの記憶／再生も行なえることから、以前から使用していているビデオカセットテープの利用が可能となる上、新たな記憶再生媒体である光ディスクの再生も可能である。しかし、このような複合電子機器は、規格が異なる二台の記録再生機器を並設することから、当然、製造コストが高くなる。また、旧規格と新規格の記録再生機器の共存は、新らたな規格、この場合、光ディスクでの記憶再生が普及して主流となった段階では、旧規格のビデオカセットテープの需要は相対的に低くなる。したがって、それ以降は、旧規格のビデオカセットテープの利用を主体として考えるユーザはビデオカセットテーププレーヤのみの専用機を望み、一方、新規格の光ディスクでの記憶再生を主体として考えるユーザはＤＶＤプレーヤのみの専用機を望む傾向にある。これら多様なユーザの要望に対処するために、例えば、ハードディスクドライブと光ディスクドライブユニットなど、規格が異なる二台の記録再生機器を並設した複合機とハードディスクドライブやビデオカセットテープあるいは光ディスクのうち、何れか１つの記録再生機器を搭載した専用機とを仕様に応じて選択することが考えられる。しかし、このように複合機か専用機かを仕様に応じて選択する場合、それぞれの仕様に応じて記録再生機器を筐体に組み付けるために専用のホルダを設計する必要がある。このため、複合機と専用機とで相互に部品の共通化を図ることができず、互換性に劣ることから、製造コストの上昇を招くという課題を有している。
【０００５】
本発明は上記課題を鑑みてなされたものであり、規格が異なる記憶再生媒体を用いて記憶及び／又は再生を行う二台の記録再生機器を並設する場合と、一台の記録再生機器を搭載する場合とで、記録再生機器をユニット化するためのホルダを共通化することができる記録再生機器を提供することを目的とする。
【課題を解決するための手段】
【０００６】
請求項１に係る記録再生機器は、少なくとも規格が異なる記憶再生媒体を用いて記憶及び／又は再生を行う二台の記録再生機器を並設してユニット化するホルダを設けるとともに、このホルダには、前記記録再生機器の境界部分に位置して前記ホルダが分割可能な切り離し部が設けられていることを特徴とする。
【０００７】
上記構成により、切り離し部でホルダを分割することなくホルダを連続させた状態で二台の記録再生機器を並設すればホルダによって二台の記録再生機器をユニット化できる。一方、切り離し部からホルダを分割し、それぞれの分割ホルダに何れか一方の記録再生機器を固定すれば分割ホルダによって一方の記録再生機器をユニット化できる。これにより、複合機として規格が異なる二台の記録再生機器を筐体の内部に組み込む場合と専用機として一台の記録再生機器を筐体の内部に組み込む場合とでホルダの共通化が可能となる。
【０００８】
請求項２に係る記録再生機器は、請求項１記載の記録再生機器において、前記切り離し部がＶ字状のスリット溝によって構成されていることを特徴とする。
【０００９】
上記構成により、ホルダを曲げることにより、スリット溝の部分に曲げ応力が集中し、スリット溝からホルダが分割される。
【００１０】
請求項３に係る記録再生機器は、請求項１記載の記録再生機器において、前記切り離し部が一定間隔毎に開口するミシン目によって構成されていることを特徴とする。
【００１１】
上記構成により、ホルダを曲げることにより、ミシン目の部分に曲げ応力が集中し、スリット溝からホルダが分割される。
【００１２】
請求項４に係る記録再生機器は、請求項１〜３の何れか１項に記載の記録再生機器において、前記規格が異なる二台の記録再生機器を筐体内に組み込む場合、その各記録再生機器を前記ホルダに並設するとともに、何れか一方の記録再生機器を前記筐体内に組み込む場合、前記切り離し部から前記ホルダを分割し、その分割ホルダに固定した一方の記録再生機器を前記筐体内に組み込むように構成したことを特徴とする。
【００１３】
上記構成により、複合機として規格が異なる二台の記録再生機器を筐体の内部に組み込む場合、連続するホルダ上に二台の記録再生機器を並設してユニット化し、これを筐体内に固定する。一方、専用機として一台の記録再生機器を筐体の内部に組み込む場合、切り離し部からホルダを分割し、その分割ホルダに一方の記録再生機器を固定してユニット化し、これを筐体内に固定することにより、複合機として規格が異なる二台の記録再生機器を筐体の内部に組み込む場合と専用機として一台の記録再生機器を筐体の内部に組み込む場合とでホルダの共通化が可能となる。
【００１４】
請求項５に係る記録再生機器は、請求項４記載の記録再生機器において、前記一方の記録再生機器が記憶再生媒体として磁気記憶媒体を用いるハードディスクドライブユニットで、他方の記録再生機器が記憶再生媒体として光ディスクを用いる光ディスクドライブユニットで構成されていることを特徴とする。
【００１５】
上記構成により、複合機として規格が異なるハードディスクドライブユニットと光ディスクドライブユニットを筐体の内部に組み込む場合、連続するホルダ上にハードディスクドライブユニットと光ディスクドライブユニットを並設してユニット化し、これを筐体内に固定する。一方、専用機としてハードディスクドライブユニット又は光ディスクドライブユニットの何れか一方を筐体の内部に組み込む場合、切り離し部からホルダを分割し、その分割ホルダにハードディスクドライブユニット又は光ディスクドライブユニットの何れか一方を固定してユニット化し、これを筐体内に固定する。これにより、複合機として規格が異なるハードディスクドライブユニットと光ディスクドライブユニットを筐体の内部に組み込む場合と専用機としてハードディスクドライブユニット又は光ディスクドライブユニットの何れか一方を筐体の内部に組み込む場合とでホルダの共通化が可能となる。
【００１６】
請求項６に係る記録再生機器は、請求項１〜５の何れか１項に記載の記録再生機器において、ホルダの前面側に筐体の前面パネルに形成する係合受け部と係合して前記筐体に前記ホルダを位置決めする係合部を設けるとともに、この係合部が前記ホルダに形成する切り離し部に対して対称となるように形成したことを特徴とする。
【００１７】
上記構成により、並設した二台の記録再生機器をユニット化したホルダ又は一台の記録再生機器をユニット化した分割ホルダを筐体に組み込む際、ホルダ又は分割ホルダの前面に形成する係合部を筐体の前面パネルに設けた係合受け部に嵌合させることによって筐体に対してユニット化した二台の記録再生機器又は何れか一方の記録再生機器を筐体内に位置決めすることが可能となる。
【００１８】
請求項７に係る記録再生機器は、請求項１〜６の何れか１項に記載の記録再生機器において、前記規格が異なる二台の記録再生機器、或いは何れか一方の記録再生機器をホルダによってユニット化し、表示部を備えた筐体に組み込んだことを特徴とする。
【００１９】
上記構成により、複合機として規格が異なる二台の記録再生機器を筐体の内部に組み込む場合、連続するホルダ上に二台の記録再生機器を並設してユニット化し、これを表示部を備えた筐体内に固定する。一方、専用機として何れか一方の記録再生機器を筐体の内部に組み込む場合、切り離し部からホルダを分割し、その分割ホルダに一方の記録再生機器を固定してユニット化し、これを表示部を備えた筐体内に固定する。これにより、表示部を備えた筐体内に二台の記録再生機器を筐体の内部に組み込む場合と、何れか一方の記録再生機器を筐体の内部に組み込む場合とでホルダの共通化が可能となる。
【発明の効果】
【００２０】
請求項１に係る記録再生機器によれば、少なくとも規格が異なる記憶再生媒体を用いて記憶及び／又は再生を行う二台の記録再生機器を並設してユニット化するホルダを設けるとともに、このホルダには、前記記録再生機器の境界部分に位置して前記ホルダが分割可能な切り離し部が設けられているものであるから、切り離し部でホルダを分割することなく二台の記録再生機器を並設すればホルダによって二台の記録再生機器をユニット化でき、切り離し部からホルダを分割すれば、その分割ホルダに何れか一方を固定して一台の記録再生機器をホルダによってユニット化できるから、複合機として規格が異なる二台の記録再生機器を筐体の内部に組み込む場合と専用機として一台の記録再生機器を筐体の内部に組み込む場合とでホルダの共通化が可能となり、製造コストを削減することができる。
【００２１】
請求項２に係る記録再生機器によれば、請求項１記載の記録再生機器において、前記切り離し部がＶ字状のスリット溝によって構成されているから、専用機として一台の記録再生機器を筐体に組み込む場合、スリット溝の部分でホルダを分割するという簡単な作業で一方の記録再生機器を分割ホルダによって簡単にユニット化することができる。
【００２２】
請求項３に係る記録再生機器によれば、請求項１記載の記録再生機器において、前記切り離し部が一定間隔毎に開口するミシン目によって構成されているから、専用機として一台の記録再生機器を筐体に組み込む場合、ミシン目の部分でホルダを分割するという簡単な作業で一方の記録再生機器を分割ホルダによって簡単にユニット化することができる。
【００２３】
請求項４に係る記録再生機器によれば、請求項１〜３の何れか１項に記載の記録再生機器において、前記規格が異なる二台の記録再生機器を筐体内に組み込む場合、その各記録再生機器を前記ホルダに並設するとともに、何れか一方の記録再生機器を前記筐体内に組み込む場合、前記切り離し部から前記ホルダを分割し、その分割ホルダに固定した一方の記録再生機器を前記筐体内に組み込むように構成したものであるから、複合機として規格が異なる二台の記録再生機器を筐体の内部に組み込む場合、切り離し部で分割することなく、連続するホルダ上に二台の記録再生機器を並設すればホルダによって二台の記録再生機器をユニット化することができ、専用機として一台の記録再生機器を筐体の内部に組み込む場合、切り離し部からホルダを分割すれば、その分割ホルダによって何れか一方の記録再生機器を簡単にユニット化できるため、複合機として規格が異なる二台の記録再生機器を筐体の内部に組み込む場合と専用機として一台の記録再生機器を筐体の内部に組み込む場合とでホルダの共通化が可能となる。
【００２４】
請求項５に係る記録再生機器によれば、請求項４記載の記録再生機器において、前記一方の記録再生機器が記憶再生媒体として磁気記憶媒体を用いるハードディスクドライブユニットで、他方の記録再生機器が記憶再生媒体として光ディスクを用いる光ディスクドライブユニットで構成されているから、複合機として規格が異なるハードディスクドライブユニットと光ディスクドライブユニットを筐体の内部に組み込む場合とハードディスクドライブユニットと光ディスクドライブユニットの何れか一方を筐体に組み込む場合とでホルダの共通化が可能となり、製造コストを削減することができる。
【００２５】
請求項６に係る記録再生機器によれば、請求項１〜５の何れか１項に記載の記録再生機器において、ホルダの前面側に筐体の前面パネルに形成する係合受け部と係合して前記筐体に前記ホルダを位置決めする係合部を設けるとともに、この係合部が前記ホルダに形成する切り離し部に対して対称となるように形成したものであるから、並設した二台の記録再生機器をユニット化したホルダ又は一台の記録再生機器をユニット化した分割ホルダを筐体に組み込む際、二台の記録再生機器又は何れか一方の記録再生機器をユニット化した状態で筐体に対して簡単に位置決めすることができるため、組み付け作業性にも優れる。
【００２６】
請求項７に係る記録再生機器によれば、請求項１〜６の何れか１項に記載の記録再生機器において、前記規格が異なる二台の記録再生機器、或いは何れか一方の記録再生機器をホルダによってユニット化し、表示部を備えた筐体に組み込んだものであるから、表示部を備えた筐体に規格が異なる二台の記録再生機器、或いは何れか一方の記録再生機器を組み込む複合電子機器を製造するにあたり、二台の記録再生機器を筐体の内部に組み込む場合と一方の記録再生機器を筐体に組み込む場合とでホルダの共通化が可能となり、製造コストを削減することができる。
【発明を実施するための最良の形態】
【００２７】
以下、本発明を実施するための最良の形態としての実施例を図１〜図５を参照して説明する。もちろん、本発明は、その発明の趣旨に反さない範囲で、実施例において説明した以外のものに対しても容易に適用可能なことは説明を要するまでもない。
【００２８】
図１〜図５は、本発明の一実施例を示し、図１はハードディスクドライブユニットと光ディスクドライブユニットをキャビネットに組み込む場合を示す分解斜視図、図２はハードディスクドライブユニットと光ディスクドライブユニットをホルダでユニット化した状態を示す斜視図、図３は、ホルダを分割した状態を示す斜視図、図４は、光ディスクドライブユニットをキャビネットに組み込む場合を示す分解斜視図、図５は、ハードディスクドライブユニットをキャビネットに組み込む場合を示す分解斜視図である。同図において、１はテレビジョン受像機であり、このテレビジョン受像機１は仕様に応じて筐体となるキャビネット２内にハードディスクドライブユニット５と、光ディスクドライブユニット１０とを並設する場合と、ハードディスクドライブユニット５又は光ディスクドライブユニット１０の何れか一方を収納する場合とがある。これらのハードディスクドライブユニット５と光ディスクドライブユニット１０とはホルダ１５に組み付けてユニット化される。
【００２９】
ホルダ１５は、合成樹脂からなり、ハードディスクドライブユニット５と光ディスクドライブユニット１０とが載置可能な平板状であって、本実施例においては、ハードディスクドライブユニット５と光ディスクドライブユニット１０とを並設して複合機としてキャビネット２の内部に収納する場合、図示右側にハードディスクドライブユニット５の取付け脚部６をねじ８によってホルダ１５上に固定するとともに、光ディスクドライブユニット１０をホルダ１５の図示左側に配置して光ディスクドライブユニット１０のフレーム１１をねじ８によってホルダ１５上に固定している。また、ホルダ１５には、前記ハードディスクドライブユニット５と光ディスクドライブユニット１０との境界部分に位置してホルダ１５を分割可能とする切り離し部としてＶ字型のスリット溝２０を形成している。また、ホルダ１５の前面側には、前記ハードディスクドライブユニット５と光ディスクドライブユニット１０のそれぞれ両側に位置して左右一対の係合部２１，２２が形成されている。これら係合部２１，２２は前記ホルダ１５から立設した支持部２３と、この支持部２３の先端部から前方に突出する水平腕部２４及びこの水平腕部２４の先端に突設した突起部２５によって構成され、これら係合部２１，２２は前記スリット溝２０を中心として左右対称となる位置に形成されている。また、前記キャビネット２の前面パネル２ａの内側には、係合部２１，２２と係合する係合受け部３０として前記突起部２５と対応する位置に凹部３１が形成され、その突起部２５と凹部３１との嵌合によって、キャビネット２内に前記ホルダ１５が位置決めされる。また、前面パネル２ａには、前記光ディスクドライブユニット１０と対応して、光ディスクドライブユニット１０のトレー１２を出し入れする挿入部３５と、各種操作スイッチや表示ランプなどを備えた操作部３６が設けられている。なお、キャビネット２内にハードディスクドライブユニット５又は光ディスクドライブユニット１０の何れか一方を組み込む場合、ハードディスクドライブユニット５又は光ディスクドライブユニット１０はキャビネット２のほぼ中央に配置する。すなわち、光ディスクドライブユニット１０を単体でキャビネット２に組み込む場合、前面パネル２ａの中央にトレー１２の挿入部３５が形成され、その両側に凹部３１が形成される。また、ハードディスクドライブユニット５を単体でキャビネット２に組み込む場合、前面パネル２ａには挿入部３５を形成することなく、操作部３６を中央部に配置する。
【００３０】
以上のように構成される本発明においては、ハードディスクドライブユニット５と光ディスクドライブユニット１０とを並設した複合機としてキャビネット２の内部に収納する場合、図１に示すように、スリット溝２０でホルダ１５を分割することなく、フラットに連続するホルダ１５上にハードディスクドライブユニット５と光ディスクドライブユニット１０とを並設してねじ８によって固定する。これにより、ハードディスクドライブユニット５と光ディスクドライブユニット１０とがホルダ１５によって一体化され、このようにユニット化したハードディスクドライブユニット５と光ディスクドライブユニット１０をキャビネット２内に組み込む。この際、ホルダ１５の前面に形成する係合部２１，２２をキャビネット２の前面パネル２ａに設けた係合受け部３０の凹部３１に嵌合させてキャビネット２に対してホルダ１５を位置決めすることによって、キャビネット２内にホルダ１５でユニット化したハードディスクドライブユニット５と光ディスクドライブユニット１０を位置決めする。この後、図示しないねじなどの固定手段を用いてホルダ１５をキャビネット２に固定し、そのキャビネット２に図示しないバックキャビネットを固定してキャビネット２を密閉する。一方、ハードディスクドライブユニット５又は光ディスクドライブユニット１０の何れか一方をキャビネット２内に組み込む場合、図３に示すように、ホルダ１５を曲げれば、その曲げ応力がハードディスクドライブユニット５と光ディスクドライブユニット１０の境界部分に形成するスリット溝２０に集中し、スリット溝２０の部分でホルダ１５が分割される。そして、一方の分割ホルダ１５ａにハードディスクドライブユニット５を固定し、他方の分割ホルダ１５ｂに光ディスクドライブユニット１０を固定することによって、光ディスクドライブユニット１０をキャビネット２内に組み込む場合には、図４に示すように、分割ホルダ１５ｂで光ディスクドライブユニット１０をユニット化する。一方、ハードディスクドライブユニット５をキャビネット２内に組み込む場合には、図５に示すように、分割ホルダ１５ａでハードディスクドライブユニット５をユニット化する。そして、ハードディスクドライブユニット５又は光ディスクドライブユニット１０を仕様に応じてキャビネット２内に組み込んで固定する。なお、ハードディスクドライブユニット５をキャビネット２内に組み込む際、分割ホルダ１５ａに形成する係合部２１をキャビネット２の前面パネル２ａに設ける凹部３１に嵌合させてキャビネット２に対して分割ホルダ１５ａを位置決めし、光ディスクドライブユニット１０をキャビネット２内に組み込む際、分割ホルダ１５ｂに形成する係合部２１をキャビネット２の前面パネル２ａに設ける凹部３１に嵌合させてキャビネット２に対して分割ホルダ１５ｂを位置決めする。このようにして位置決めした分割ホルダ１５ａ又は分割ホルダ１５ｂを図示しないねじなどの固定手段を用いてキャビネット２に固定する。このように、専用機としてハードディスクドライブユニット５又は光ディスクドライブユニット１０の何れか一方をキャビネット２内に組み込む場合、スリット溝２０の部分でホルダ１５を分割し、複合機としてハードディスクドライブユニット５と光ディスクドライブユニット１０とを並設してキャビネット２内に組み込む場合は、スリット溝２０の部分でホルダ１５を分割することなく、フラットに連続するホルダ１５にハードディスクドライブユニット５と光ディスクドライブユニット１０を固定してユニット化することで、ホルダ１５の共通化が可能となる。
【００３１】
以上のように、規格が異なるハードディスクドライブユニット５と光ディスクドライブユニット１０とを並設させて複合機としてキャビネット２の内部に収納する場合、フラットに連続するホルダ１５上にハードディスクドライブユニット５と光ディスクドライブユニット１０とを固定して一体化し、このようにユニット化したハードディスクドライブユニット５と光ディスクドライブユニット１０をキャビネット２内に組み込むとともに、ハードディスクドライブユニット５又は光ディスクドライブユニット１０の何れか一方をキャビネット２内に組み込む場合、ハードディスクドライブユニット５と光ディスクドライブユニット１０の境界部分に形成するスリット溝２０の部分でホルダ１５を分割することによって、分割ホルダ１５ａ又は分割ホルダ１５ｂによってハードディスクドライブユニット５又は光ディスクドライブユニット１０をユニット化することができる。したがって、複合機としてキャビネット２の内部にハードディスクドライブユニット５と光ディスクドライブユニット１０を収納する場合とハードディスクドライブユニット５又は光ディスクドライブユニット１０の何れか一方をキャビネット２の内部に収納する場合とでこれらハードディスクドライブユニット５と光ディスクドライブユニット１０をユニット化するホルダ１５を共通化することができる。このように共通化したホルダ１５でハードディスクドライブユニット５と光ディスクドライブユニット１０とをユニット化してキャビネット２に組み込むことも、ハードディスクドライブユニット５又は光ディスクドライブユニット１０の一方をユニット化してキャビネット２内に組み込むことも可能であるから、利用者の多様なニーズに対応することができる。また、ホルダ１５に形成するスリット溝２０の部分でホルダ１５を分割するという簡単な操作で複合機としてハードディスクドライブユニット５と光ディスクドライブユニット１０をキャビネット２に組み込む仕様にも専用機としてハードディスクドライブユニット５又は光ディスクドライブユニット１０の何れか一方をキャビネット２に組み込む仕様にも簡単に対応することが可能であるとともに、各仕様に応じて専用のホルダを成形する必要もなく、ホルダ１５を共通化できるため、製造コストを削減することができる。また、ハードディスクドライブユニット５と光ディスクドライブユニット１０あるいはハードディスクドライブユニット５又は光ディスクドライブユニット１０をキャビネット２に組み込む際、ホルダ１５の前面に形成する係合部２１，２２をキャビネット２の前面パネル２ａに設けた係合受け部３０の凹部３１に嵌合させることによってキャビネット２に対するホルダ１５の位置決めが可能であるから、組み付け作業性にも優れる。
【００３２】
以上、本発明の実施例について詳述したが、本発明は前記実施例に限定されるものではなく、本発明の要旨の範囲内で種々の変形実施が可能である。例えば、前記実施例では、ハードディスクドライブユニット５と光ディスクドライブユニット１０を例として示したが、これに限らず例えば光ディスクドライブユニットとビデオカセットドライブとの組み合わせやハードディスクドライブユニットとビデオカセットドライブとの組み合わせなども可能であって、キャビネットに組み込む記録再生機器は適宜選定すればよい。また、位置決め手段としてホルダ１５に形成する係合部２１，２２やキャビネット２の前面パネル２ａに形成する係合受け部３０の形状や個数あるいは形成位置などについても前記実施例に限定されるものではなく適宜選定すればよい。また、切り離し部としてＶ字型のスリット溝２０を示したが、図６に示すように、一定間隔毎に開口するミシン目２０ａによって切り離し部を構成してもよく、要は部分的に強度が弱い部分を形成して、ホルダ１５を曲げた際、応力が集中してホルダ１５が容易に分離可能な構造であればよい。
【図面の簡単な説明】
【００３３】
【図１】本発明の一実施例を示すハードディスクドライブユニットと光ディスクドライブユニットをキャビネットに組み込む場合を示す分解斜視図である。
【図２】同上、ハードディスクドライブユニットと光ディスクドライブユニットをホルダでユニット化した状態を示す斜視図である。
【図３】同上、ホルダを分割した状態を示す斜視図である。
【図４】同上、光ディスクドライブユニットをキャビネットに組み込む場合を示す分解斜視図である。
【図５】同上、ハードディスクドライブユニットをキャビネットに組み込む場合を示す分解斜視図である。
【図６】同上、切り離し部の変形例を示す斜視図である。
【符号の説明】
【００３４】
２  キャビネット（筐体）
５  ハードディスクドライブユニット（記録再生機器）
１０  光ディスクドライブユニット（記録再生機器）
１５  ホルダ
１５ａ，１５ｂ  分割ホルダ
２０  スリット溝（切り離し部）
２０ａ  ミシン目（切り離し部）
２１，２２  係合部
３０  係合受け部
【図１】
2006209886.tif 000003
【図２】
2006209886.tif 000004
【図３】
2006209886.tif 000005
【図４】
2006209886.tif 000006
【図５】
2006209886.tif 000007
【図６】
2006209886.tif 000008